(57)【要約】      （修正有）【課題】航空機や空中ロボット、空中自動車等をロウコストで製造、低燃費で運転が可能とする。【解決手段】物体を空中に垂直に上下に移動させる方法として、物体に連結した覆い１に動力でブロアー４を作動させて空気を覆い１の下に送り込み浮力として覆い１を押上げて物体を空中に吊り上げる。【選択図】図１
2006151343.tif 000002
【特許請求の範囲】
【請求項１】
物体を空中に浮上させるのに上方に覆いを設置して連結し、ブロワーで空気又は他の気体を覆いの下に供給して浮力を発生させて空中に上昇させる。
【請求項２】
上記［請求項１］において、空気を供給するファンの回転軸を動力装置と連結して物体を空中に浮上させた後、エンジンやモーター等の動力装置を推進装置の動力源に切り替えることによって水平方向に推進させると同時に、上記ファンが向い風を利用して回転し、風を［請求項１］に記載した覆いの下に送り込んで浮力を発生させて物体を常時持上げる。
【請求項３】
上記［請求項１］に於いて，物体が無人の場合は空中ロボットとして使用し、有人の場合は飛行車や航空機又は空飛ぶ運搬車及びオートバイとして利用する。
【発明の詳細な説明】
【背景技術】
【０００１】従来、物体を空中に浮上させるには航空機やヘリコプターのように羽の圧力差で発生する揚力を利用するか、或いは、気球のように予め容器に注入した気体を熱膨張させて浮力を増大させる方法に依存していた。その場合、羽を利用するには長い助走距離や羽の回転に複雑な多くの部品や計器類が必要とされ、燃費とコスト高が避けられなかった。
【当該技術】
【０００２】当該技術は、物体の上に連結した覆いと動力及びブロアーを組み合わせるだけで発生される浮力で物体を空中に引上げた後、動力源を推進装置に切り替えて空中飛行を可能にすると同時に向い風を利用して上記ブロアーを回転させて常時空中で浮力で物体を持上げている為、垂直上下移動が可能なことと単純構造なのでコスト及び燃費が極めて安い。
【０００３】上記段落０００２において、メカニズムの原理を空中ロボットや航空機、空中自動車に応用した場合多くの機能上、利用上のメリットが得られる。
【図面の簡単な説明】
【図１】    空中車の断面図の一例
【符号の説明】
１．覆い                              ２．ワイヤー
３．乗り物本体                        ４．ブロアー
５．ベルト                            ６．エンジン
７．バネ                              ８．プロペラ
【図１】
2006151343.tif 000003
【手続補正書】
【提出日】平成16年11月28日(2004.11.28)
【手続補正１】
【補正対象書類名】特許請求の範囲
【補正対象項目名】全文
【補正方法】変更
【補正の内容】
【特許請求の範囲】
【請求項１】
物体を空中に浮上させるのに上方に覆いを設置して連結し、ブロワーで空気又は他の気体を覆いの下に供給して浮力を発生させて空中に上昇させる。
【請求項２】
上記請求項１において、空気を供給するファンの回転軸を動力装置と連結して物体を空中に浮上させた後、エンジンやモーター等の動力装置を推進装置の動力源に切り替えることによって水平方向に推進させると同時に、上記ファンが向い風を利用して回転し、風を請求項１に記載した覆いの下に送り込んで浮力を発生させて物体を常時持上げる。
【請求項３】
上記請求項１に於いて，物体が無人の場合は空中ロボットとして使用し、有人の場合は飛行車や航空機又は空飛ぶ運搬車及びオートバイとして利用する。
【請求項４】
上記請求項１に於いて、物体の下部の台座の下に空気袋を設置し、ポンプから空気を注入して袋を膨らませ物体を空中に押上げる。
【請求項５】
上記請求項４に於いて、袋に栓をして空気孔から栓までの距離より短い長さの紐を付けて袋が膨らんだ時栓を自動的に引張って栓を抜いて空気を噴出させて物体を上昇させる。
【手続補正２】
【補正対象書類名】明細書
【補正対象項目名】全文
【補正方法】変更
【補正の内容】
【発明の詳細な説明】
【背景技術】
【０００１】従来、物体を空中に浮上させるには航空機やヘリコプターのように羽の圧力差で発生する揚力を利用するか、或いは、気球のように予め容器に注入した気体を熱膨張させて浮力を増大させる方法に依存していた。その場合、羽を利用するには長い助走距離や羽の回転に複雑な多くの部品や計器類が必要とされ、燃費とコスト高が避けられなかった。
【当該技術】
【０００２】当該技術は、物体の上に連結した覆いと動力及びブロアーを組み併せるだけで発生される浮力で物体を空中に引上げた後、動力源を推進装置に切り替えて空中飛行を可能にすると同時に向い風を利用して上記ブロアーを回転させて常時空中で浮力で物体を持上げている為、垂直上下移動が可能なことと単純構造なのでコスト及び燃費が極めて安い。
【０００３】上記段落０００２において、メカニズムの原理を空中ロボットや航空機、空中自動車に応用した場合多くの機能上利用上のメリットが得られる。
【０００４】空中ロボット及び空中乗用車の台座に空気注入袋にポンプで空気を送込み、空気袋を膨らませて地面を押して本体を空中に押上げ、空気袋の底に栓をして袋の丈より短い紐をつけていて空気が満杯に近ずいた時栓が外れて空気が下に噴出して空中えの上昇を促進する。
【０００５】空中に上昇した物体を動力で屋根を上下運動させて上昇力をつけて推進力に切替えて、一方向い風を利用して浮力を常時作用させて省エネする。
【図面の簡単な説明】
【図１】空中車の断面図の一例
【符号の説明】
１．覆い                        ２．ワイヤー  ３．乗り物本体                  ４．ブロアー  ５．ベルト                      ６．エンジン  ７．バネ                        ８．プロペラ  ９．空気袋                    １０．栓１１．栓の紐                    １２．ポンプ
【手続補正３】
【補正対象書類名】図面
【補正対象項目名】図１
【補正方法】変更
【補正の内容】
【図１】
2006151343.tif 000004
【手続補正書】
【提出日】平成16年12月3日(2004.12.3)
【手続補正１】
【補正対象書類名】特許請求の範囲
【補正対象項目名】全文
【補正方法】変更
【補正の内容】
【特許請求の範囲】
【請求項１】
物体を空中に浮上させるのに上方に覆いを設置して連結し、ブロワーで空気又は他の気体を覆いの下に供給して浮力を発生させて空中に上昇させる。
【請求項２】
上記請求項１ において、空気を供給するファンの回転軸を動力装置と連結して物体を空中に浮上させた後、エンジンやモーター等の動力装置を推進装置の動力源に切り替えることによって水平方向に推進させると同時に、上記ファンがい風を利用して回転し、風を請求項１に記載した覆いの下に送り込んで浮力を発生させて物体を常時持上げる。
【請求項３】
上記請求項１に於いて，物体が無人の場合は空中ロボットとして使用し、有人の場合は飛行車や航空機又は空飛ぶ運搬車及びオートバイとして利用する。
【請求項４】
上記請求項１に於いて、物体の下部の台座の下に空気袋を設置し、ポンプから空気を注入して袋を膨らませ物体を空中に押上げる。
【請求項５】
上記請求項４に於いて、袋に栓をして空気孔から栓までの距離より短い長さの紐を付けて袋が膨らんだ時栓を自動的に引張って栓を抜いて空気を噴出させて物体を上昇させる。
【請求項６】
動力に直結した回転軸にアームを固定し、そのアームに棒状のアームを上下に取付けて動力に直結している回転軸の回転に伴ってアームの先端が上下して、上方のアームは最終的に屋根板を上下運動させ、下方のアームは底面に穴が開いた空気袋を下に押したり押し返されたりして本体の上昇運動をする仕組。
【請求項７】
上記（請求項６）に記載された底面に穴の開いた空気袋は、上記アームに押されて空気を吐き出し地面を蹴って本体を押上げると同時に、上に上がると圧縮されたバネや蛇腹の外壁が元に復元しようとして空気袋を膨らませるので気圧の差を生じて上方に空気袋の上面を押してアームを押し返し本体を上昇させる。
【手続補正２】
【補正対象書類名】明細書
【補正対象項目名】当該の技術及び図面の簡単な説明及び符号の説明
【補正方法】追加
【補正の内容】
【書類名】  明細書【発明の名称】      空中ロボット及び空中乗用車【当該技術】【０００６】動力の回転力で汽車の車輪の仕組同様に車軸に取付けたアームを上下両方向に別々のアームを取付けて前者のアームの回転に伴って上方のアームは屋根板を上下運動させ、一方、下のアームは下の底面に穴の開いた空気袋を押して空気流を噴出させて地面を蹴って本体を上昇させる力の一部となる。【０００７】上記（０００６）に於いて記載したように下のアームが下行する際は空気袋を押して気流によって本体を上昇させる力の一部となるが、アームが上昇する時も空気袋の蛇腹やバネの復元力で空気袋を膨らませて気圧差によってアームを上に押し返してやはり浮力を増大させる仕組。【図面の簡単な説明】【図２】空中ロボットの断面図の一例【符号の説明】１．屋根          ２．支柱          ３．バッテリー    ４．回転軸５．モーター      ６．上のアーム    ７．下のアーム    ８．空気袋９．蛇腹          １０．底面の穴【手続補正３】
【補正対象書類名】図面
【補正対象項目名】図２
【補正方法】追加
【補正の内容】
【図２】
2006151343.tif 000005
【手続補正書】
【提出日】平成17年2月18日(2005.2.18)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【背景技術】
【０００１】従来、物体を空中に浮上させるには航空機やヘリコプターのように羽の圧力差で発生する揚力を利用するか、或いは、気球のように予め容器に注入した気体を熱膨張させて浮力を増大させる方法に依存していた。その場合、羽を利用するには長い助走距離や羽の回転に複雑な多くの部品や計器類が必要とされ、燃費とコスト高が避けられなかった。
【当該技術】
【０００２】当該技術は、物体の上に連結した覆いと動力及びブロアーを組み合わせるだけで発生される浮力で物体を空中に引上げた後、動力源を推進装置に切替えて空中飛行を可能にすると同時に向い風を利用して上記ブロワー回転させて常時空中で浮力で物体を持上げている為、垂直上下移動が可能なことと単純構造なのでコスト及び燃費が極めて安い。
【０００３】上記段落０００２において、メカニズムの原理を空中ロボットや航空機、空中自動車に応用した場合多くの機能上利用上のメリットが得られる。
【０００４】空中ロボット及び空中乗用車の台座に空気注入袋にポンプで空気を送込み、空気袋を膨らませて地面を押して本体を空中に押上げ、空気袋の底に栓をして袋の丈より短い紐を付けていて空気が満杯に近ずいた時栓が外れて空気が下に噴出して空中えの上昇を促進する。
【０００５】空中に上昇した物体を動力で屋根を上下運動させて上昇力をつけて推進力に切替えて、一方向い風を利用して浮力を常時作用させて省エネする。
【０００６】動力の回転力で汽車の車輪の仕組同様に車輪に取付けたアームを上下両方向に別々のアームを取付けて前者のアームの回転に伴って上方のアームは屋根板を上下運動させ、一方、下のアームは下の底面に穴の開いた空気袋を押して空気流を噴出させて地面を蹴って本体を上昇させる力の一部となる。
【０００７】上記（０００６）に於いて記載したように下のアームが下降する際は空気袋を押して気流によって本体を上昇させる力の一部となるが、アームが上昇する時も空気袋の蛇腹やバネの復元力で空気袋を膨らませて気圧差よってアームを上に押返してやはり浮力を増大させる仕組。
【０００８】
【図面の簡単な説明】
【図１】空中車の断面図の一例
【図２】空中ロボットの断面図の一例
【０００９】
【符号の説明】
１．屋根        ２．支柱          ３．バッテリー    ４．回転軸５．モーター    ６．上のアーム    ７．下のアーム    ８．空気袋９．蛇腹      １０．底面の穴